(57)【要約】【課題】  緊急時に避難する際の扉の衝突による事故を防止しつつ安全に避難することができるベランダ間仕切り用扉を提供する。【解決手段】  前後両方向に回動可能な扉本体３を備えるベランダ間仕切り用扉１において、扉本体３の前後両側にそれぞれ錠４,５が設置され、この錠４は、施錠状態では設置側への扉１の回動は阻止しない一方で、設置した側とは反対側への扉１の回動は阻止し、解錠状態では設置した側とは反対側への扉１の回動が可能となるように構成されていることを特徴とする。【選択図】図１
2006328874.tif 000002
【特許請求の範囲】
【請求項１】
前後両方向に回動可能な扉本体を備えるベランダ間仕切り用扉において、扉本体の前後両側にそれぞれ錠が設置され、この錠は、施錠状態では設置側への扉の回動は阻止しない一方で、設置した側とは反対側への扉の回動は阻止し、解錠状態では設置した側とは反対側への扉の回動が可能となるように構成されていることを特徴とするベランダ間仕切り用扉。
【請求項２】
錠は阻止体を備え、阻止体は、施錠状態では扉が設けられる枠体に設置側から当接して設置側とは反対側への扉の回動のみを阻止し、解錠状態では扉が設けられる枠体に当接せず設置側とは反対側への扉の回動が可能となることを特徴とする請求項１に記載のベランダ間仕切り用扉。
【請求項３】
阻止体は、軸部と、軸部に突設され施錠状態において枠体に当接する当接片部とを備え、軸部を中心に回動することにより施錠位置と解錠位置とを移動可能に構成されていることを特徴とする請求項２に記載のベランダ間仕切り用扉。
【請求項４】
阻止体は、軸部が軸心方向を上下にして設けられると共に軸部の径方向に突出した突出部を備え、軸心方向に移動可能に且つ軸心周りに回動可能となるよう支持体に支持され、錠は軸部を囲むように設けられる案内体を備え、案内体は突出部が当接して案内されることにより阻止体を軸心方向に移動させつつ回動させるレール状部を有することを特徴とする請求項３に記載のベランダ間仕切り用扉。
【請求項５】
阻止体は施錠位置を維持するために支持体に係止される維持部を備えることを特徴とする請求項４に記載のベランダ間仕切り用扉。
【請求項６】
軸部には、施錠位置で支持体に嵌り阻止体の回動を阻止する回動阻止部が設けられていることを特徴とする請求項５に記載のベランダ間仕切り用扉。
【発明の詳細な説明】
【技術分野】
【０００１】
本発明は、避難器具として用いられる隣接するベランダを仕切るベランダ間仕切り用扉に関する。
【背景技術】
【０００２】
従来、マンション等の建築物のベランダは緊急時に避難通路となるが、プライバシーの保護を図るため、ベランダ間仕切り用の扉によって各部屋のベランダ毎に仕切られている。この扉については、避難する際には扉を蹴破って避難経路を確保するというものが知られているが（下記特許文献１参照）、子供や老人、身体障害者等の人々は扉を蹴破ることができず避難できない場合があった。そこで、最近では、前後両方向に回動可能なベランダ間仕切り用扉が用いられるようになってきている。
【特許文献１】特開２００１−０２６９８３号公報
【発明の開示】
【発明が解決しようとする課題】
【０００３】
しかしながら、上記従来のベランダ間仕切り用扉にあっては、前後両方向に回動可能な扉本体と、扉本体に設置される錠とを備えており、この錠は、施錠状態では扉本体の前後両方向への回動を阻止し、解錠状態では扉本体の前後両方向への回動が可能となるように構成されている。このため、緊急時に避難しようとする際に、前面側から錠を解錠すると扉の後面側から前面側に向けて吹く風の風圧によって、扉が前面側に勢いよく開き、前面側から避難しようとする人に衝突して怪我をする場合があるといった問題があった。
【０００４】
そこで、本発明は、上記従来の問題に鑑みてなされ、緊急時に避難する際の扉の衝突による事故を防止しつつ安全に避難することができるベランダ間仕切り用扉を提供することを課題とする。
【課題を解決するための手段】
【０００５】
本発明は、上記課題を解決すべくなされたものであり、本発明に係るベランダ間仕切り用扉は、前後両方向に回動可能な扉本体を備えるベランダ間仕切り用扉において、扉本体の前後両側にそれぞれ錠が設置され、この錠は、施錠状態では設置側への扉の回動は阻止しない一方で、設置した側とは反対側への扉の回動は阻止し、解錠状態では設置した側とは反対側への扉の回動が可能となるように構成されていることを特徴とする。
【０００６】
該構成のベランダ間仕切り用扉にあっては、扉本体の前後両側にそれぞれ錠が設置され、この錠は扉本体に設置した側とは反対側への扉の回動を阻止するように構成されている。よって、扉の前側から後側へ避難する際に、前側の錠を解錠しても後側の錠は施錠状態であるため、後側の錠によって扉の前側への回動が阻止される。従って、扉の後側から前側に向けて吹く風による風圧が扉に作用していても扉は前側には開かず、避難しようとする人に扉が衝突することがない。
【０００７】
また、錠は、解錠状態では錠を設置した側とは反対側への扉の回動が可能となるように構成されているので、前側の錠を解錠することによって、扉の後側への回動が可能となる。しかも、錠は施錠状態では設置側への扉の回動は阻止しないように構成されているので、後側の錠は扉の後側への回動を阻止しない。従って、扉を後側へ押し開くことができる。
【０００８】
特に、錠は阻止体を備え、阻止体は、施錠状態では扉が設けられる枠体に設置側から当接して設置側とは反対側への扉の回動のみを阻止し、解錠状態では扉が設けられる枠体に当接せず設置側とは反対側への扉の回動が可能となることが好ましい。このような構成であると、前側の錠を解錠しても後側の錠は施錠状態であるため、後側の錠の阻止体が枠体に後側から当接して扉の前側への回動を阻止するので扉は前側へは開かない。また、前側の錠を解錠すると前側の錠の阻止体は枠体に当接せず、しかも後側の錠は前側への扉の回動のみを阻止し後側への扉の回動は阻止しない。よって、扉を後側に押し開くことができる。
【０００９】
また、阻止体は、軸部と、軸部に突設され施錠状態において枠体に当接する当接片部とを備え、軸部を中心に回動することにより施錠位置と解錠位置とを移動可能に構成されていることが好ましい。軸部を中心に回動することにより、当接片部は枠体から離れて回動するので、当接片部と枠体とが擦れたりせず解錠の動作がスムーズになるという利点がある。また、枠体や当接片部が傷つきにくいという利点もある。
【００１０】
更に、阻止体は、軸部が軸心方向を上下にして設けられると共に軸部の径方向に突出した突出部を備え、軸心方向に移動可能に且つ軸心周りに回動可能となるよう支持体に支持され、錠は軸部を囲むように設けられる案内体を備え、案内体は突出部が当接して案内されることにより阻止体を軸心方向に移動させつつ回動させるレール状部を有することが好ましい。このような構成とすると、突出部は案内体のレール状部に沿って軸心方向に移動しつつ回動するので、阻止体は軸心方向に移動しつつ回動する。よって、阻止体は施錠位置からレール状部に案内されて解錠位置に移動することとなるので容易に錠を解錠することができる。
【００１１】
また更に、阻止体は施錠位置を維持するために支持体に係止される維持部を備えることが好ましい。施錠状態において支持体と維持部との係止状態を解除すると、阻止体は下方に移動して案内体に案内され自動的に解錠位置へと移動する。従って、子供や老人、身体障害者等の人々であっても容易に且つ迅速に錠を解錠することができる。
【００１２】
また、軸部には、施錠位置で支持体に嵌り阻止体の回動を阻止する回動阻止部が設けられていることが好ましい。このようにすると、施錠状態において、阻止体が不必要に回動して解錠状態とはならないので不必要に扉が開くことがない。従って、プライバシーの保護が図ることができ、また防犯対策にもなる。
【発明の効果】
【００１３】
このように、本発明に係るベランダ間仕切り用扉にあっては、前後両方向に回動可能な扉本体の前後両側にそれぞれ錠が設置され、この錠は、施錠状態では設置側への扉の回動は阻止しない一方で、設置した側とは反対側への扉の回動は阻止し、解錠状態では設置した側とは反対側への扉の回動が可能となるように構成されているので、緊急時に避難する際に、避難しようとする人に向けて扉が回動して衝突し怪我をするという事故を防止しつつ扉を押し開いて安全に避難することができるという効果を奏する。
【発明を実施するための最良の形態】
【００１４】
以下、本発明に係るベランダ間仕切り用扉（以下、単に扉という）の一実施形態について図面を参酌しつつ説明する。
図１（Ａ）に、本実施形態における扉１が設置されたベランダが示されている。該扉１は、ベランダに設けられた枠体２の内側に設置されて避難通路としてのベランダを各部屋のベランダ毎に仕切っている。そして、図１（Ａ）及び（Ｂ）に示すように、扉１は前後両側に回動可能な扉本体３と、扉本体３の前後両側にそれぞれ設けられ扉１の施錠解錠を行う一対の錠４,５とを備えている。尚、本実施形態では、枠体２は上下方向に伸びる内側フレーム２ａと、これと対向する外側フレーム２ｂと、横方向に伸びて内側フレーム２ａと外側フレーム２ｂとを接続する上側フレーム２ｃとを備え、下側が開放した略長方形状の枠を形成している。また、錠には保護用のカバー１００がそれぞれ被せられている。
【００１５】
扉本体３は、長方形状の枠を形成する枠体６と、枠体６の内側に嵌め込まれる仕切り板７とを備える。扉本体３は枠体６の上下方向の一辺を軸にして前後両方向に回動可能となるように上側フレーム２ｃとベランダ底面との間で軸支されている。
【００１６】
枠体６は上下方向に伸びる回動フレーム６ａと、これに対向する軸フレーム６ｂと、横方向に伸びて回動フレーム６ａと軸フレーム６ｂとを接続する一対の上下フレーム６ｃ,６ｄとを備える。枠体６は、上下フレーム６ｃ,６ｄそれぞれの両端面が、回動フレーム６ａと軸フレーム６ｂとにそれぞれ接して結合され長方形枠を形成している。そして、軸フレーム６ｂが上下方向に軸支されることによって、扉本体３は前後両方向に回動可能となって設けられている。仕切り板７は、枠体６の内側に枠体６との間に隙間ができないように嵌め込まれている。尚、仕切り板７としてはアルミ製の板等を使用することができるが、避難時に破壊することができる材質からなる板、例えば石綿材を芯材とした板や合成樹脂発泡体からなる板を使用するのが好ましい。
【００１７】
図１（Ａ）及び（Ｂ）に示すように、回動フレーム６ａの前後両側には、錠４,５がそれぞれ設けられる。前後の錠４,５は同一の構成であり、それぞれ独立して施錠解錠することができる。この錠４は、図２に示すように、施錠位置と解錠位置とを移動可能に構成された阻止体８と、阻止体８の一部を囲む案内体９と、阻止体８を支持する支持体１０,１１とで構成される。錠４は、図２及び図４に示すように、阻止体８が内側フレーム２ａに当接する位置（施錠位置）で施錠状態となり、図６に示すように、阻止体８が内側フレーム２ａに当接しない位置（解錠位置）で解錠状態となる。
【００１８】
阻止体８は、軸部１２と、軸部１２に突設される当接片部１３と、軸部１２の径方向に突出した突出部１４と、突出部１４の先端部に連結される維持部１５とで構成される。阻止体８は、軸部１２の軸心方向を上下方向にして、軸心方向に移動可能に且つ軸心周りに回動可能となるように支持体１０,１１によって支持されることによって軸部１２を中心に回動し、施錠位置と解錠位置との間を移動する。
【００１９】
軸部１２は軸状の形状であって、角柱部と円柱部とが同心軸上に交互に並んだ形状である。軸部１２の上下両端部にはそれぞれ角柱部１２ａ,１２ｂが設けられていて間には上側角柱部１２ｃと下側角柱部１２ｄとが並んでいる。上側角柱部１２ｃと下側角柱部１２ｄとの軸心方向の長さはほぼ同じ長さであるが、上下両端部の角柱部１２ａ,１２ｂの軸心方向の長さは上側角柱部１２ｃの軸心方向の長さより小さい。また、軸部１２の軸心方向のほぼ中央に位置する円柱部１２ｅの軸心方向の長さは、上側角柱部１２ｃの軸心方向の長さとほぼ同じ長さであるが、上下両側の円柱部１２ｆ,１２ｇの軸心方向の長さは上側角柱部１２ｃの軸心方向の長さより小さい。尚、各円柱部の断面形状の直径は、各角柱部の断面形状の一辺の長さとほぼ同じである。
【００２０】
軸部１２の上側角柱部１２ｃには当接片部１３が設けられている。当接片部１３は横方向に長い略長方形状で、上側角柱部１２ｃの側面から軸部１２の周方向に突出するように設けられている。また、下側角柱部１２ｄにもその側面から軸部１２の周方向に突出するように当接片部１３が設けられており、上下両当接片部１３は軸部１２から同じ方向に突出している。また、両当接片部１３は、その先端部に上下方向全域に亘って略長方形状のパッド部１６をそれぞれ備えている。そして、施錠位置においては、図２及び図４に示すように、当接片部１３は扉本体３から横方向に突出するような配置となる。そして、突出した当接片部１３は、内側フレーム２ａの錠を設置している側の面にパッド部１６を介して当接する。これにより、阻止体８は錠を設置していない側への扉１の回動を阻止して施錠状態となる。一方、解錠位置においては、図６に示すように、当接片部１３は扉本体３の横方向には突出しない配置となり、内側フレーム２ａとは当接せず、錠を設置していない側への扉１の回動が可能となり解錠状態となる。
【００２１】
軸部１２の軸心方向のほぼ中央に位置する円柱部１２ｅには、その径方向に突出した突出部１４が設けられる。突出部１４は、略円柱形状であり、その軸心方向を軸部１２の径方向にして当接片部１３の突出方向とほぼ同じ方向に突出するように設けられる。突出部１４は、案内体９に当接して案内体９の形状に沿って施錠位置から解錠位置へ移動する。
【００２２】
突出部１４の先端部には維持部１５が連結される。維持部１５は略円柱形状であるが、基端部１５ａが平らな形状となっており、この平らな部分１５ａがリング１７を介して突出部１４と連結されている。また、維持部１５は径が小さくなっているくびれ状部１５ｂを先端側に有している。維持部１５は、阻止体８を施錠位置に維持するために支持体１０に接続されている。そして、維持部１５と支持体１０との接続を解除すると阻止体８は案内体９に沿って施錠位置から解錠位置へと移動する。尚、維持部１５の先端部１５ｃに、例えば赤色などの塗料を塗って目立つようにすると、解錠する際に目印となって迅速に錠を解錠できるので好ましい。
【００２３】
阻止体８の一部を囲む案内体９は、図２に示すように、阻止体８の突出部１４の下側で軸部１２を囲むように配置されていて、回動フレーム６ａの前面に取り付けられている。案内体９は、図３（Ａ）に示すように、前後方向に伸びる左壁部９ａと、左壁部９ａの前端から横方向に略直角に延設される前壁部９ｂと、前壁部９ｂから後方に略直角に延設される右壁部９ｃと、左壁部９ａと右壁部９ｃのそれぞれの後端から横方向に延設される取付部９ｄとで構成されている。つまり、案内体９は、上下両側と後側とが開放した囲い状の形状をなしており、左右両壁部９ａ,９ｃと前壁部９ｂとで形成される囲い形状で軸部１２を囲むように配置され、取付部９ｄが回動フレーム６ａの前面に固定されることによって回動フレーム６ａに取り付けられている。
【００２４】
そして、案内体９は、阻止体８を軸部１２の軸心方向に移動させつつ回動させるレール状部９０を有する。具体的には、レール状部９０は、案内体９の上端縁部の一部に設けられ、左壁部９ａと前壁部９ｂと右壁部９ｃとに亘って設けられている。図３（Ｂ）乃至（Ｄ）に示すように、レール状部９０は、左壁部９ａでは前方下向きに傾斜し、前壁部９ｂでは右方下向きに傾斜し、右壁部９ｃでは後方下向きに傾斜した形状となっている。つまり、レール状部９０は、阻止体８の軸部１２の周りに螺旋状に形成されている。そして、阻止体８の突出部１４が上方からレール状部９０に当接し、レール状部９０の形状に沿って下方に移動しつつ軸部１２の軸心周りに回動して案内される。また、図３（Ｄ）に示すように、右壁部９ｃにはレール状部９０の後方に右壁部９ｃを下方に切欠いた切欠部９１が設けられており、右壁部９ｃはレール状部９０の後方が下方に凹んだ形状となっている。
【００２５】
阻止体８を支持する支持体１０,１１は上下に一対設けられ、回動フレーム６ａの前面に固定される固定部１０ａ,１１ａと固定部１０ａ,１１ａから前方へ延設される支持部１０ｂ,１１ｂとで構成されている。上側の支持体１０には、支持部１０ｂに略正方形状の貫通孔１０ｃが設けられ、支持部１０ｂの前端部には後方に切り込んだ切込み部１０ｄが設けられている。下側の支持体１１にも、支持部１１ｂに略正方形状の貫通孔１１ｃが設けられ、この貫通孔１１ｃは上側の支持部１０の貫通孔１０ｃと同一形状である。上下の支持体１０,１１は、支持部１０ｂ,１１ｂが回動フレーム６ａの前面から突出し、それぞれの貫通孔１０ｃ,１１ｃの中心軸が上下方向に同心軸となるように配置して、固定部１０ａ,１１ａが回動フレーム６ａの前面に固定されることにより扉本体３にそれぞれ設置される。そして、上下の支持体１０,１１のそれぞれの貫通孔１０ｃ,１１ｃに阻止体８の軸部１２が挿入されることにより、軸部１２はその軸心方向に移動可能に且つ軸心周りに回動可能となるように支持体１０,１１によって支持される。尚、上下の支持体１０,１１のそれぞれの貫通孔１０ｃ,１１ｃは、軸部１２の角柱部の断面形状より大きい。また、上側の支持体１０の切込み部１０ｄの横方向の長さ（切り込み幅）は、維持部１５のくびれ状部１５ｂの直径よりも大きく、くびれ状部１５ｂ以外の部分の維持部１５の直径より小さくなっている。
【００２６】
このような構成からなる錠４は、図２及び図４に示すように、施錠状態においては、扉本体３から横方向に突出した当接片部１３が、内側フレーム２ａの錠４を設置している側の面にのみ当接する。これにより、錠４は、錠４を設置している側と反対側への扉１の回動を阻止する一方で、錠４を設置している側への扉１の回動は阻止しない。そして、上側の支持体１０の貫通孔１０ｃには軸部１２の上側角柱部１２ｃが、下側の支持体１１の貫通孔１１ｃには下端部の角柱部１２ｂがそれぞれ嵌っていて、阻止体８の回動を阻止している。即ち、上側角柱部１２ｃと下端部の角柱部１２ｂとが回動阻止部として機能している。また、くびれ状部１５ｂが上側の支持体１０の切込み部１０ｄに嵌められることにより、維持部１５は上側の支持体１０と接続され、阻止体８を施錠位置に維持している。
【００２７】
そして、解錠しようとするときには、上側の支持体１０の切込み部１０ｄに嵌められている維持部１５を切込み部１０ｄから外す。そうすると、阻止体８は下方に移動し、阻止体８の突出部１４が案内体９のレール状部９０に当接する。そして、図５及び図６に示すように、突出部１４はレール状部９０の形状に沿って下方に移動しつつ軸部１２の軸心周りに回動する結果、当接片部１３は内側フレーム２ａの錠４を設置している側の面から離れて下方に移動しつつ軸心周りに回動する。そして、突出部１４が右壁部９ｃの切欠部９１にはまり、その位置で阻止体８は解錠位置となり、当接片部１３は扉本体３から横方向に突出した位置（施錠位置）から軸部１２の軸心に対してほぼ反対側の位置、つまり扉本体３から横方向に突出しない位置（解錠位置）へと移動する。
【００２８】
このように施錠状態から解錠状態になると、図６に示すように、当接片部１３は内側フレーム２ａとは当接せず、錠４を設置していない側への扉１の回動が可能となる。
【００２９】
そして、本実施形態における扉１は、上記のような構成の錠４を、扉本体３の回動フレーム６ａの前後両側にそれぞれ設けてなる。
【００３０】
以上の構成からなる扉１にあっては、錠４を設置した側とは反対側への扉１の回動を阻止する錠４が、扉本体３の回動フレーム６ａの前後両側にそれぞれ独立して施錠解錠できるように設置されている。よって、前側の錠４を解錠しても後側の錠５は施錠状態であるため、後側の錠５の当接片部１３が内側フレーム２ａの後面に当接して扉１の前側への回動が阻止される。従って、扉１の後側から前側に向けて吹く風による風圧が扉１に作用していても扉１は前側には開かず、扉１の前側から避難しようとする人に衝突することがないので、避難しようとする人に向けて扉１が回動して衝突し怪我をするという事故を防止することができる。
【００３１】
また、解錠状態では、当接片部１３は内側フレーム２ａに当接しないので錠４を設置した側とは反対側への扉１の回動が可能となる。一方、施錠状態では、当接片部１３は内側フレーム２ａに当接して錠４を設置した側とは反対側への扉１の回動のみを阻止し、錠４を設置した側への扉１の回動は阻止しない。よって、前側の錠４を解錠すると後側への扉１の回動が可能となるうえに、後側の錠５は後側への扉１の回動を阻止しない。従って、扉１を後側へ押し開いて安全に避難することができる。
【００３２】
更に、阻止体８は、軸部１２を中心に回動して施錠位置と解錠位置とを移動するので、当接片部１３は内側フレーム２ａの錠４を設置している側の面から離れて軸心方向に移動しつつ軸心周りに回動する。よって、当接片部１３と内側フレーム２ａとが擦れたりせず解錠の動作がスムーズになるという利点がある。また、内側フレーム２ａや当接片部１３が傷つきにくいという利点もある。
【００３３】
また更に、阻止体８は、軸部１２が軸心方向を上下にして設けられ、軸心方向に移動可能に且つ軸心周りに回動可能となるよう支持体１０,１１に支持されている。よって、阻止体８の突出部１４はレール状部９０の形状に沿って軸心方向に移動しつつ軸部１２の軸心周りに回動することができる。つまり、阻止体８は施錠位置からレール状部９０に案内されて解錠位置に移動することとなるので、容易に錠を解錠することができる。
【００３４】
また、くびれ状部１５ｂが上側の支持体１０の切込み部１０ｄに嵌められることによって、維持部１５は上側の支持体１０と接続され、阻止体８が施錠位置に維持されている。よって、解錠するときには、上側の支持体１０の切込み部１０ｄに嵌められている維持部１５を切込み部１０ｄから外せば、阻止体８は案内体９に軸心方向に移動させられつつ回動され、自動的に解錠位置へと移動する。従って、容易に且つ迅速に錠を解錠することができる。
【００３５】
更に、施錠状態においては、回動阻止部としての上側角柱部１２ｃと下端部の角柱部１２ｂとが、上側角柱部１２ｃが上側の支持体１０の貫通孔１０ｃに、下端部の角柱部１２ｂが下側の支持体１１の貫通孔１１ｃにそれぞれ嵌まり阻止体８の回動を阻止している。よって、施錠状態において、阻止体８が不必要に回動して解錠状態とはならないので不必要に扉１が開くことがない。従って、プライバシーの保護が図ることができ、また防犯対策にもなる。
【００３６】
また更に、案内体９の右壁部９ｃにはレール状部９０の後方に右壁部９ｃを下方に切欠いた切欠部９１が設けられているので、レール状部９０に沿って案内されてきた突出部１４が切欠部９１に嵌り位置決めされる。従って、解錠状態を維持し易くなる。
【００３７】
尚、本実施形態では、当接片部１３は軸部１２に突設された場合について説明したが、これに限られず、例えば、軸部１２を設けず、施錠状態では扉本体３から横方向に突出するように、解錠状態では扉本体３から突出しないように当接片部１３を横方向に移動可能に設けたスライド形式である場合であってもよい。何れにしても、施錠状態では錠４を設置した側から内側フレーム２ａに当接するように、解錠状態では内側フレーム２ａに当接しないように当接片部１３を設ける。これにより、錠４は、施錠状態では錠を設置した側への扉１の回動は阻止しない一方で、錠４を設置した側とは反対側への扉１の回動を阻止し、解錠状態では錠４を設置した側とは反対側への扉１の回動を可能とする。従って、このような錠４を前後両側にそれぞれ備える扉１にあっては、前側の錠４を解錠しても後側の錠５は施錠状態であるため、後側の錠５の当接片部１３が内側フレーム２ａの後面に当接して扉１の前側への回動が阻止される。
【００３８】
また、本実施形態では、軸部１２に突出部１４を設け、軸部１２を囲むようにレール状部９０を有する案内体９を設けて、突出部１４がレール状部９０に沿って軸心方向に移動しつつ回動する場合について説明したが、これに限られず、例えば、レール状部９０として軸部１２に螺旋形状の溝部を設け、突出部１４として錠４が設置される回動フレーム６ａに円柱形状のピン部を設ける。そして、軸部１２はピン部が溝部に嵌った状態で設置されている場合であってもよい。この場合、軸部１２は溝部の螺旋形状によって軸心方向に移動しつつ回動することとなる。何れにしても、レール状部９０を設け、その形状に沿って阻止体８が移動することにより、解錠時の動作がスムーズとなり容易に解錠できる。
【００３９】
更に、本実施形態では、軸心方向を上下にして軸部１２を中心に回動する場合について説明したが、これに限られず、例えば、軸心方向を横向きにして軸部１２を中心に回動する場合であってもよい。何れにしても、阻止体８は軸部１２を中心に回動することにより施錠位置と解錠位置との間を移動するので、当接片部１３は内側フレーム２ａの錠４を設置している側の面から離れて軸心方向に移動しつつ軸心周りに回動する。よって、当接片部１３と内側フレーム２ａとが擦れたりせず解錠の動作がスムーズになるという利点がある。また、内側フレーム２ａや当接片部１３が傷つきにくいという利点もある。
【図面の簡単な説明】
【００４０】
【図１】（Ａ）は本発明の一実施形態に係る扉が設置されたベランダを示す正面図、（Ｂ）は（Ａ）の側面拡大図。
【図２】同扉に設置された錠の拡大斜視図。
【図３】（Ａ）は同扉に設置される錠に使用される案内体の上面図、（Ｂ）は該案内体の左側面図、（Ｃ）は該案内体の正面図、（Ｄ）は該案内体の右側面図。
【図４】（Ａ）は同扉に設けられた錠の施錠状態を示す正面図であり、（Ｂ）はその側面図。
【図５】同扉に設置される錠が施錠位置から開錠位置へと移動する途中の状態を示す正面図。
【図６】（Ａ）は同扉に設けられた錠の開錠状態を示す正面図であり、（Ｂ）はその側面図。
【符号の説明】
【００４１】
１…扉、２…枠体、３…扉本体、４…前側の錠、５…後側の錠、６…枠体、７…仕切り板、８…阻止体、９…案内体、１０…上側の支持体、１１…下側の支持体、１２…軸部、１３…当接片部、１４…突出部、１５…維持部、１６…パッド部、１７…リング、９０…レール状部、９１…切欠部、１００…カバー
【図１】
2006328874.tif 000003
【図２】
2006328874.tif 000004
【図３】
2006328874.tif 000005
【図４】
2006328874.tif 000006
【図５】
2006328874.tif 000007
【図６】
2006328874.tif 000008